(57)【要約】【課題】  液晶ディスプレイのバースト・モードの切り換え周波数を調節する方法、および切り換え周波数調節システムに関し、バースト・モードの切り換え周波数をダイナミックに調節できるようにすることを目的とする。【解決手段】  信号源50から走査周波数の値を受信するステップ（ａ）と、この走査周波数の値に応じてバースト・モードの切り換え周波数の値を導出するステップ（ｂ）と、この切り換え周波数の値をランプ制御装置60に送信するステップ（ｃ）とを有している。切り換え周波数の値は、計算に基づいて、あるいはルックアップ・テーブルに基づいて調節される。切り換え周波数の値は、走査周波数の値に（Ｎ＋０．５）を掛けた値に等しいことが好ましい。ただしＮは正の数である。バースト・モードの切り換え周波数の値の許容範囲は±20Ｈｚである。【選択図】      図４
2004258668.tif 000002
【特許請求の範囲】
【請求項１】
液晶ディスプレイのバースト・モードの切り換え周波数を調節する方法であって、
信号源から走査周波数の値を受信するステップ（ａ）と、
前記走査周波数の値に応じて前記バースト・モードの切り換え周波数の値を導出するステップ（ｂ）と、
前記切り換え周波数の値をランプ制御装置に送信するステップ（ｃ）とを有することを特徴とする方法。
【請求項２】
前記ステップ（ｂ）において、計算法によって前記走査周波数の値に応じた前記バースト・モードの切り換え周波数の値が導出される、請求項１記載の方法。
【請求項３】
前記バースト・モードの切り換え周波数の値が、走査周波数の値に（Ｎ＋０．５）を掛けた値に等しくなっており、ここで、Ｎは正の数である、請求項２記載の方法。
【請求項４】
前記バースト・モードの切り換え周波数の値の許容範囲が±20Ｈｚである、請求項３記載の方法。
【請求項５】
前記バースト・モードの切り換え周波数の値が、走査周波数の値に正の数を掛けた値に等しい、請求項２記載の方法。
【請求項６】
前記バースト・モードの切り換え周波数の値の許容範囲が±３Ｈｚである、請求項５記載の方法。
【請求項７】
前記ステップ（ｂ）において、テーブルを参照することによって前記走査周波数の値に応じた前記バースト・モードの切り換え周波数の値を導出する、請求項１記載の方法。
【請求項８】
液晶ディスプレイのバースト・モードの切り換え周波数を調節するための切り換え周波数調節システムであって、
信号源から走査周波数の値を受信する受信装置と、
前記受信装置に電気的に接続されており、前記走査周波数の値に応じて前記バースト・モードの切り換え周波数の値を導出する調節装置と、
前記調節装置に電気的に接続されており、前記切り換え周波数の値をランプ制御装置に送信する送信装置とを備えることを特徴とする切り換え周波数調節システム。
【請求項９】
前記調節装置が、前記切り換え周波数の値を導出するための倍周器を備える、請求項８記載のシステム。
【請求項１０】
前記切り換え周波数の値が、走査周波数の値に（Ｎ＋０．５）を掛けた値に等しくなっており、ここで、Ｎは正の数である、請求項９記載のシステム。
【請求項１１】
前記バースト・モードの切り換え周波数の値の許容範囲が±20Ｈｚである、請求項１０記載のシステム。
【請求項１２】
前記バースト・モードの切り換え周波数の値が、走査周波数の値に正の数を掛けた値に等しい、請求項９記載のシステム。
【請求項１３】
前記バースト・モードの切り換え周波数の値の許容範囲が±３Ｈｚである、請求項１２記載のシステム。
【請求項１４】
前記調節装置が、前記切り換え周波数の値を導出するための分周器を備える、請求項８記載のシステム。
【請求項１５】
前記切り換え周波数の値が、走査周波数の値に（Ｎ＋０．５）を掛けた値に等しくなっており、ここで、Ｎは正の数である、請求項１４記載のシステム。
【請求項１６】
前記バースト・モードの切り換え周波数の値の許容範囲が±20Ｈｚである、請求項１５記載のシステム。
【請求項１７】
前記バースト・モードの切り換え周波数の値が、走査周波数の値に正の数を掛けた値に等しい、請求項１４記載のシステム。
【請求項１８】
前記バースト・モードの切り換え周波数の値の許容範囲が±３Ｈｚである、請求項１７記載のシステム。
【請求項１９】
前記調節装置が、さまざまな走査周波数の値に対応する複数の切り換え周波数の値を記憶したデータベースを備える、請求項８記載のシステム。
【発明の詳細な説明】
【技術分野】
【０００１】
本発明は、切り換え周波数調節システム、および切り換え周波数を調節する方法に関し、より詳細には、液晶ディスプレイのバースト・モードのためのダイナミックな切り換え周波数調節システム、および、液晶ディスプレイのバースト・モードのための切り換え周波数をダイナミックに調節する方法に関するものである。
【背景技術】
【０００２】
液晶ディスプレイではバックライトとして冷陰極型蛍光ランプ（ＣＣＦＬ: Cold Cathode Fluorescent Lamp）が一般に使用されている。ＣＣＦＬの明るさは、高圧のＡＣ（交流）電源によって駆動されるＣＣＦＬのデューティ・サイクルを切り換えて調節される。図１を参照すると、液晶ディスプレイでは、制御装置11およびインバータ12を用いてランプ13を点灯させるとともに、このランプ13の明るさを調節していることがわかる。制御装置11およびインバータ12は、一つのモジュールにすることができる。
【０００３】
図２Ａと図２Ｂを参照すると、ランプを点灯させてそのランプの明るさを調節するための２つのモードが示されている。第１のモードは連続モードである。連続モードの制御信号の波形を図２Ａに示してある。この信号の周波数は30〜70ｋＨｚである。連続モードに従ってランプの明るさを調整するには、この制御信号の振幅を利用する。
【０００４】
第２のモードはバースト・モードである。バースト・モードの制御信号の波形を図２Ｂに示してある。この制御信号の周波数は30〜70ｋＨｚである。この制御信号の切り換え周波数は100〜500Ｈｚであり、制御信号のオン／オフのデューティ・サイクルを調節することによってこの切り換え周波数を制御し、ランプの明るさを調整する。
【０００５】
たいていの液晶ディスプレイではバースト・モードが利用されている。切り換え周波数は所定の値になっているが、種々のメーカーが、それぞれ異なる切り換え周波数を設計する。液晶ディスプレイは、ディスプレイを走査するために信号源から走査周波数の値を受信する必要がある。信号源は、コンピュータ端末のディスプレイ・カード、またはコンピュータ端末のソフトウエアにより提供され得る。それゆえに、走査周波数の値は固定値ではない。走査周波数の値によっては、ディスプレイ上にウォータ・フロー（Water Flow：水流パターン）がいくらか見られる。あるときはウォータ・フローが上方にシフトし、あるときはウォータ・フローが下方にシフトする。ウォータ・フローがシフトする速度は一定ではない。実験によると、ウォータ・フローは走査周波数および切り換え周波数に関係している。
【発明の開示】
【発明が解決しようとする課題】
【０００６】
したがって、上記問題点を解決するために、バースト・モードの切り換え周波数をダイナミックに調節するシステムおよび方法が必要とされている。
【課題を解決するための手段】
【０００７】
本発明の一つの目的は、液晶ディスプレイにおいてバースト・モードの切り換え周波数をダイナミックに調節する方法を提供することである。本発明の方法は、信号源から走査周波数の値を受信するステップ（ａ）と、この走査周波数の値に応じてバースト・モードの切り換え周波数の値を導出するステップ（ｂ）と、この切り換え周波数の値をランプ制御装置に送信するステップ（ｃ）とを有している。
【０００８】
本発明の方法によれば、切り換え周波数の値は、計算に基づいて、あるいはルックアップ・テーブル（Look-up Table）に基づいて調節することができる。切り換え周波数の値は、走査周波数の値に（Ｎ＋０．５）を掛けた値に等しいことが好ましい（ただしＮは正の数である）。バースト・モードの切り換え周波数の値の許容範囲は±20Ｈｚである。本発明の方法では、さまざまな走査周波数の値を利用して切り換え周波数の値を調節するようになっている。それゆえに、信号源からどのような値の走査周波数が供給されても、この走査周波数の値に応じて切り換え周波数の値をダイナミックに調節することができる。これによって、ディスプレイ上のウォータ・フローを除去すること、または減少させることが可能になる。この結果、人間の目にディスプレイ上のウォータ・フローが感知されることはなくなる。
【発明を実施するための最良の形態】
【０００９】
図３を参照すると、本発明に従って液晶ディスプレイのバースト・モードの切り換え周波数をダイナミックに調節する方法を説明するためのフローチャートが示されている。液晶ディスプレイは、ステップ31において、このディスプレイを走査するための走査周波数の値を信号源から受信する。信号源としては、コンピュータ端末のディスプレイ・カード、またはコンピュータ端末のソフトウエアが可能であろう。それゆえに、走査周波数の値は固定値ではない。メーカーがどのように設計するかによって、走査周波数の値は、通常、60Ｈｚ、70.7Ｈｚ、75.03Ｈｚ、59.94Ｈｚ、72.8Ｈｚ、75Ｈｚ、56.25Ｈｚ、60.32Ｈｚ、66.67Ｈｚなどとなっている。
【００１０】
ステップ32では、走査周波数の値をダイナミックに調節することにより、バースト・モードの切り換え周波数の値が取得される。本発明の方法では、走査周波数の値をもとにして計算によってバースト・モードの切り換え周波数の値を得る方法を利用することができる。切り換え周波数の値は、走査周波数の値に（Ｎ＋０．５）を掛けた値に等しい。ただしＮは正の数である。さらに、バースト・モードの切り換え周波数の値の許容範囲は±20Ｈｚである。
【００１１】
一実施例について以下に説明する。走査周波数の値が60Ｈｚであり、Ｎ＝３であるとすると、切り換え周波数の値は210Ｈｚ（すなわち60×3.5）になる。切り換え周波数の値の許容範囲は±20Ｈｚであるが、±10Ｈｚであることが好ましい。それゆえに、切り換え周波数の値の最適範囲は210Ｈｚ±10Ｈｚである。換言すれば、切り換え周波数の値は、走査周波数の値（60Ｈｚ）に応じて200Ｈｚと220Ｈｚとの間の値に調節され得る。
【００１２】
さらに、切り換え周波数の値は、走査周波数の値に正の数を掛けた値に等しくすることができる。バースト・モードの切り換え周波数の値の許容範囲は±３Ｈｚである。別の実施例について以下に説明する。走査周波数の値は75Ｈｚであり、正の数は３である。この場合、切り換え周波数の値は225Ｈｚ（すなわち75×３）になる。切り換え周波数の値の許容範囲は±３Ｈｚであるが、±１Ｈｚであることが好ましい。それゆえに、切り換え周波数の値の最適範囲は225Ｈｚ±１Ｈｚである。換言すれば、切り換え周波数の値は、走査周波数の値（75Ｈｚ）に応じて224Ｈｚと226Ｈｚとの間の値に調節され得る。
【００１３】
切り換え周波数を得るための本発明の方法が、計算による上記の方法に限定されることはない。本発明の方法では、複数の走査周波数の値に対応する複数の切り換え周波数の値を記憶したテーブルを利用することができる。走査周波数の値に応じて、切り換え周波数の値がテーブルから得られる。
【００１４】
ステップ33では、切り換え周波数の値がランプ制御装置に送信される。ランプ制御装置は、ランプを点灯させるとともに当該ランプの明るさを切り換え周波数の値に応じて制御するために、制御信号波形を当該ランプに送信する。
【００１５】
本発明の方法によれば、切り換え周波数の値が、さまざまな走査周波数の値によってダイナミックに調節されるため、切り換え周波数の値が固定されている従来の手法の欠点が改善される。それゆえに、信号源からどのような値の走査周波数が供給されても、この走査周波数の値に応じて切り換え周波数の値をダイナミックに調節することができる。これによって、ディスプレイ上のウォータ・フローを除去すること、または減少させることが可能になる。この結果、人間の目にディスプレイ上のウォータ・フローが感知されることはなくなる。
【００１６】
図４を参照すると、本発明による液晶ディスプレイのバースト・モードのための切り換え周波数調節システム40が示されている。この切り換え周波数調節システム40は、受信装置41と、調節装置42と、送信装置43とを備えている。受信装置41は、信号源50から走査周波数を受信するのに使用される。調節装置42は、受信装置41に電気的に接続されており、走査周波数の値に応じてバースト・モードの切り換え周波数の値をダイナミックに調節する。送信装置43は、調節装置42に電気的に接続されており、切り換え周波数の値をランプ制御装置60に送信する。
【００１７】
調節装置42は、切り換え周波数の値を導出するための倍周器を備えている。切り換え周波数の値は、走査周波数の値に（Ｎ＋０．５）を掛けた値に等しい。ただしＮは正の数である。換言すれば、走査周波数の値が倍周器によって処理され、切り換え周波数の値が得られる。バースト・モードの切り換え周波数の値の許容範囲は±20Ｈｚである。
【００１８】
調節装置42は、切り換え周波数の値を導出するための分周器も備えている。切り換え周波数の値は、走査周波数の値に（Ｎ＋０．５）を掛けた値に等しい。ただしＮは正の数である。換言すれば、走査周波数の値が分周器および高周波信号によって処理され、切り換え周波数の値が得られる。
【００１９】
調節装置42の倍周器または分周器を利用することにより、切り換え周波数の値は、走査周波数の値に正の数を掛けた値に等しくすることができる。バースト・モードの切り換え周波数の値の許容範囲は±３Ｈｚである。
【００２０】
さらに、調節装置42は、さまざまな走査周波数の値に対応する複数の切り換え周波数の値を記憶したデータベースも備えている。走査周波数の値に応じて、切り換え周波数の値がデータベースから得られる。
【００２１】
調節装置42が切り換え周波数の値をダイナミックに調節すると、最適な切り換え周波数の値が得られ、ランプ制御装置60に送信される。切り換え周波数の値に応じて、ランプ制御装置60は、制御信号波形をランプに送信して当該ランプを点灯させるとともに、当該ランプの明るさを制御する。再び図１を参照すると、図４のランプ制御装置60は、図１の制御装置11と同じであることがわかる。したがって、この場合、ランプ制御装置60およびインバータ12を一つのモジュールにすることができる。
【００２２】
本発明の切り換え周波数調節システム40は、調節装置42を利用することによって、さまざまな走査周波数の値に応じた最適な切り換え周波数の値を取得するようにしているので、切り換え周波数の値が固定されている従来の手法の欠点が改善される。それゆえに、信号源からどのような値の走査周波数が供給されても、この走査周波数の値に応じて切り換え周波数の値をダイナミックに調節することができる。これによって、ディスプレイ上のウォータ・フローを除去すること、または減少させることが可能になる。この結果、人間の目にディスプレイ上のウォータ・フローが感知されることはなくなる。
【００２３】
これまで本発明の一実施例を図示し、それについて説明してきたが、当業者であればさまざまな変更や改良を行うことが可能である。したがって、上記のような本発明の実施例は単なる例示であり、本発明がこの実施例に限定されることはない。本発明は、本願明細書にて図示したような特定の形態に限定されることはなく、本発明の精神および範囲に含まれるようなあらゆる変更は、添付の特許請求の範囲にて規定された範囲に含まれるものとする。
【図面の簡単な説明】
【００２４】
【図１】液晶ディスプレイにおいてランプを点灯し、当該ランプの明るさを制御するための従来の制御システムを示すブロック図である。
【図２Ａ】連続モードの制御信号の波形図である。
【図２Ｂ】バースト・モードの制御信号の波形図である。
【図３】本発明に従って液晶ディスプレイのバースト・モードの切り換え周波数をダイナミックに調節する方法を説明するためのフローチャートである。
【図４】本発明に従って液晶ディスプレイのバースト・モードの切り換え周波数をダイナミックに調節するシステムを示すブロック図である。
【図１】
2004258668.tif 000003
【図２Ａ】
2004258668.tif 000004
【図２Ｂ】
2004258668.tif 000005
【図３】
2004258668.tif 000006
【図４】
2004258668.tif 000007
【外国語明細書】
2004258668000001.pdf